(57)【要約】【課題】  手の親指と人差し指との間の付け根にある合谷というツボを刺激する永久磁石を確実に手に止着できる磁石装着具を提供する。【解決手段】  線材を、全体の形状が略Ｃ字形になるように成形してなるリストリング１に、線材を全体の形状が略Ｊ字形になるように成形してなる装着部材４を、そのＵ字形部が人差し指と親指との間の谷部に掛け止められるようにして一体的に結合し、また、Ｕ字形部の先端部に一対の永久磁石２、２を相互に異磁極で対峙するように装着し、以て、リストリングを手首に嵌めたとき、上記一対の永久磁石が合谷のツボを挟んでこれを刺激するようにした。【選択図】  図１
2016067398.tif 000002
【特許請求の範囲】
【請求項１】
弾性を有する線材を、全体の形状が略Ｃ字形になるように成形してなるリストリングと、弾性を有する線材を、全体の形状が略Ｊ字形になるように成形している装着部材とを有してなり、装着部材のＪ字の上端である一端を、リストリングの一部に、装着部材がそのＣ字を含む平面にほぼ垂直になるように、また、装着部材の他端のＵ字形部が人差し指と親指との間の谷部に掛け止められる態様で一体的に結合し、Ｕ字形部の先端部に一対の永久磁石を相互に異磁極で対峙するように装着し、以て、リストリングを手首に嵌めたとき、上記一対の永久磁石が合谷のツボを挟んでこれを刺激するようにしたことを特徴とする磁石装着具。
【請求項２】
上記リストリングのＣ字の隙間を保つ両端に、一対の永久磁石を相互に異磁極で対峙するように装着した請求項１に記載の磁石装着具。
【請求項３】
上記リストリング及び装着部材をチューブ或いはビーズで被覆した請求項１及び２に記載の磁石装着具。
【発明の詳細な説明】
【技術分野】
【０００１】
この発明は、磁石装着具（以下単に装着具という）に掛り、特に、手の親指と人差し指との間の付け根にある壺（ツボ：急所或いは灸をすえるべき場所）に磁石を装着するに好適な装着具に関する。
【背景技術】
【０００２】
人体に多くあるツボの内、合谷というツボを刺激すると肩凝りや花粉症の緩和に顕著な効果があることは良く知られている。そして、ツボを刺激する手段として小さな永久磁石が好適である。
【先行技術文献】
【特許文献】
【０００３】
【特許文献１】特開２０１１−０８３５６９
【発明の概要】
【０００４】
人体には沢山のツボがあり、広い場所、例えば背中などのツボを刺激するための永久磁石は接着シートと共に市販されている。
【０００５】
しかしながら、合谷は手指の付け根にあり、しかも手は日常種々の作業を休みなく行っているものであるから、永久磁石を小さい接着シートで手指部に貼着しても直ぐに剥がれてしまう。
【０００６】
一方、永久磁石を大きな接着シートで貼着すると、今度はその大きな接着シートが手指の動きを拘束する、等種々の不都合がある。
【０００７】
他方、本発明者が上記特許文献１によって提案した装着具は、要するに平たい紐のリストバンド及び装着バンドで永久磁石を手に縛り付けるので、装着や取り外しに手間が掛り、また、汗などで汚れやすい、等未だ改良の余地がある。
【０００８】
そこで、この発明は、永久磁石を確実に、しかも手指の動きを拘束せずに合谷のツボを刺激する部位に装着できる装着具を提供することを目的としている。
【課題を解決するための手段】
【０００９】
上記の目的を達成するため、請求項１に記載の発明は、弾性を有する線材を、全体の形状が略Ｃ字形になるように成形してなるリストリングと、弾性を有する線材を、全体の形状が略Ｊ字形になるように成形している装着部材とを有してなり、装着部材のＪ字の上端である一端を、リストリングの一部に、装着部材がそのＣ字を含む平面にほぼ垂直になるように、また、装着部材の他端のＵ字形部が人差し指と親指との間の谷部に掛け止められる態様で一体的に結合し、Ｕ字形部の先端部に一対の永久磁石を相互に異磁極で対峙するように装着し、以て、リストリングを手首に嵌めたとき、上記一対の永久磁石が合谷のツボを挟んでこれを刺激するようにしたことを特徴とする。
【発明の効果】
【００１０】
上記のように構成された本願発明は、装着部材の他端のＵ字形部が人差し指と親指との間の谷部に、装着部材の一端がリストリングにそれぞれ確りと固定されるので、装着部材の内側に装着された一対の永久磁石も、ずれることなく、合谷のツボを挟むようにして確りと固定される。
【００１１】
したがって、肩凝りや目の疲れが有効に防止され、特にパソコンを多用する現代のビジネスマンの作業効率を向上させることができる。
【００１２】
また、リストリング及び装着部材は細い線状体なので、手指の動きを拘束することが無い。
【００１３】
更にまた、請求項２に記載の発明によれば、手首にある湯池というツボを磁力線が刺激し、高血圧を低下させる効果がある（図４参照）。
【図面の簡単な説明】
【００１４】
【図１】この発明の一実施例による装着具の外観斜視図。
【図２】この発明の他の実施例による装着具の外観斜視図。
【図３】図１に示す装着具を嵌めた手を手の甲側から見た外観斜視図。
【図４】図１に示す装着具を嵌めた手を手の平側から見た外観斜視図。
【図５】図１に示す装着具を嵌めた手を側面から見た外観斜視図。
【発明を実施するための形態】
【００１５】
弾性を有する線材を、全体の形状が略Ｃ字形になるように成形してなるリストリングと、弾性を有する線材を、全体の形状が略Ｊ字形になるように成形している装着部材とを有してなり、装着部材のＪ字の上端である一端を、リストリングの一部に、装着部材がそのＣ字を含む平面にほぼ垂直になるように、また、装着部材の他端のＵ字形部が人差し指と親指との間の谷部に掛け止められる態様で一体的に結合し、Ｕ字形部の先端部に一対の永久磁石を相互に異磁極で対峙するように装着し、以て、リストリングを手首に嵌めたとき、上記一対の永久磁石が合谷のツボを挟んでこれを刺激するようにした。
【実施例１】
【００１６】
図１において符号１はリストリングを示し、図示の実施例におけるリストリング１は、例えばアルミニウム、ステンレス線のような弾性を有する線材を、全体の形状が略Ｃ字形になるように成形してなる。
【００１７】
上記リストリング１のＣ時の隙間を保つ両端に、例えば直方体のアルミのブロック３、３が一体的に結合されており、各ブロック３には夫々永久磁石２が相互に異磁極で対峙するように装着されている。
【００１８】
一方、図１において符号４は装着部材を示し、この装着部材４は、弾性を有する線材を、全体の形状がＪ字形になるように成形してなる。
【００１９】
この装着部材４のＪ字の上端（図１では下端）である一端は、リストリング１の一部に、装着部材４の全体がリストリングりＣ字を含む平面にほぼ垂直になるように、また、装着部材４の他端（図１では上端）のＵ字形部が人差し指と親指との間の谷部に掛け止められる関係位置で、ブロック３を介して一体的に結合されている。
【００２０】
また、装着部材４のＵ字形部の先端部には、一対の永久磁石２、２の夫々が、ブロック３を介して、かつ合谷のツボを挟んで相互に異磁極で対峙するように装着されている。
【００２１】
ちなみに、永久磁石２は、例えばブロック３に形成された空洞部に充填され、空洞部の開口部をかしめることによりブロック３に固定されている。
【００２２】
なお、図１に示す装着具のリストリング１及び装着部材４の線材は透明な合成樹脂製のチューブ５に被覆されている。
【００２３】
なお、ツボを挟む一対の磁石を異磁極で対峙させるのは、磁石を出た磁束は磁気抵抗がなるべく小さくなるように空気中の磁路を選択するので、永久磁石２、２が相互に異磁極で対峙すると、一方の磁石から出た磁束がツボを通って他方の磁石に多く入る結果、ツボを通る磁束密度が大きくなるからである。
【００２４】
上記のように構成された実施例１による装着具は、図３乃至図５に示すように、リストリング１を手首に嵌め、装着部材のＵ字形部を、人差し指と親指との間の谷部に掛け止める態様で手に装着する。
【００２５】
このとき、手首に嵌められたリストリング１と、Ｕ字形部を人差し指と親指の谷間に掛け止められた装着部材４とが、相互に他方の動きを拘束するので、永久磁石の位置がずれることが無い。
【００２６】
すると、一対の永久磁石２、２が合谷のツボを挟み、これを刺激するので、肩凝りや目の疲れが有効に防止され、あるいは軽減される。
【００２７】
同時に、リストリング１のＣ字の隙間を保つ両端に装着された一対の永久磁石が、手首にある湯池というツボを刺激し、高血圧を低下させる効果がある（図４参照）。
【００２８】
なお、通常装着具は左手に装着する。右手のツボに関しては、専門書には詳しい解説は無い。
【実施例２】
【００２９】
図２はこの発明の第２の実施例を示し、この実施例は、複数の穴開きビーズ８、
８に線材（図示せず）を通すことにより、ビーズ８、８により線材を被覆したものである。
【００３０】
この第２の実施例による装着具の機能、効果は図１に示す第１の実施例のそれと変わるところは無い。
【００３１】
なお、図２において符号６は金属球で、前記ブロック３に永久磁石を填め込むと同じ要領で永久磁石を填め込んである。
【００３２】
また、符号７は飾り球を、符号９は接続金具を夫々示し、図２において図１と同じ符号を付した部分は図１と均等な部分を示す。
【符号の説明】
【００３３】
１  リストリング
２  永久磁石
３  ブロック
４  装着部材
５  チューブ
６  金属球
７  飾り玉
８  ビーズ
９  接続金具
【図１】
2016067398.tif 000003
【図２】
2016067398.tif 000004
【図３】
2016067398.tif 000005
【図４】
2016067398.tif 000006
【図５】
2016067398.tif 000007